(57)【特許請求の範囲】
【請求項１】
親機および子機を有する同期演奏システムであって、
前記親機は、
制御信号を受けて所定のからくり動作を行う第１のからくり部と、
前記第１のからくり部で演奏されるメロディデータを記憶する第１の記憶部と、
前記第１のからくり部がからくり動作を行う際に同期信号として参照される時間信号を出力する第１のタイマと、
前記子機にスタートトリガ信号および補正トリガ信号を送信する送信部と、
報音スタート信号が入力されると、前記送信部にスタートトリガ信号を送信させ、前記第１のタイマから出力される時間信号に同期して、前記第１の記憶部に記憶されているメロディデータに応じた制御信号を前記第１のからくり部に出力し、前記第１の記憶部に記憶されている一連のメロディデータの所定タイミングで、補正トリガ信号を前記送信部に送信させる第１の制御部とを有し、
前記子機は、
制御信号を受けて前記親機により発音されるメロディに同期してからくり動作を行う第２のからくり部と、
前記送信部から送信されたスタートトリガ信号および補正トリガ信号を受信する受信部と、
前記第２のからくり部がからくり動作を行う際に同期信号として参照される時間信号を出力する第２のタイマと、
前記親機の第１の記憶部に記憶されているメロディデータと関連するメロディデータを記憶する第２の記憶部と、
前記受信部でスタートトリガ信号を受信すると、前記第２のタイマから出力される時間信号に同期して、前記第２の記憶部に記憶されているメロディデータに応じた制御信号を前記第２のからくり部に出力し、前記受信部で補正トリガ信号を受信すると、当該補正トリガ信号および前記第２の記憶部に記憶されているメロディデータに基づいて前記第２のタイマの時間信号を補正する第２の制御部とを有する
同期演奏システム。
【請求項２】
親機および子機を有する同期演奏システムであって、
前記親機は、
メロディデータを記憶する第１の記憶部と、
前記第１の記憶部に記憶されているメロディデータの同期をとるための時間信号を出力する第１のタイマと、
前記子機にスタートトリガ信号および補正トリガ信号を送信する送信部と、
報音スタート信号が入力されると、前記送信部にスタートトリガ信号を送信させ、前記第１の記憶部に記憶されている一連のメロディデータの所定タイミングで、補正トリガ信号を前記送信部に送信させる第１の制御部とを有し、
前記子機は、
制御信号を受けてからくり動作を行うからくり部と、
前記送信部により送信されたスタートトリガ信号および補正トリガ信号を受信する受信部と、
前記からくり部がからくり動作を行う際に同期信号として参照される時間信号を出力する第２のタイマと、
前記親機の第１の記憶部に記憶されているメロディデータと関連するメロディデータを記憶する第２の記憶部と、
前記受信部でスタートトリガ信号を受信すると、前記第２のタイマから出力される時間信号に同期して、前記第２の記憶部に記憶されているメロディデータに応じた制御信号を前記からくり部に出力し、前記受信部で補正トリガ信号を受信すると、当該補正トリガ信号および前記第２の記憶部に記憶されているメロディデータに基づいて前記第２のタイマの時間信号を補正する第２の制御部とを有する
同期演奏システム。
【請求項３】
前記親機は、前記第１の記憶部に記憶されているメロディデータに基づいてメロディを発音する発音手段をさらに有する
請求項１または２に記載の同期演奏システム。
【請求項４】
前記親機の第１の制御部は、前記第１の記憶部に記憶されているメロディの所定の小節毎に補正トリガ信号を送信部に送信させ、
前記子機の第２の制御部は、前記受信部で受信された補正トリガ信号および第２の記憶部に記憶されているメロディデータに基づいて、メロディの所定の小節毎に第２のタイマの時間信号を補正する
請求項１，２，または３のいずれかに記載の同期演奏システム。
【請求項５】
前記親機の第１の制御部は、前記第１の記憶部に記憶されているメロディの所定の音符毎に補正トリガ信号を送信部に送信させ、
前記子機の第２の制御部は、前記受信部で受信された補正トリガ信号および前記第２の記憶部に記憶されているメロディデータに基づいて、メロディの所定の音符毎に前記第２のタイマの時間信号を補正する
請求項１，２，または３のいずれかに記載の同期演奏システム。
【発明の詳細な説明】
【０００１】
【発明の属する技術分野】
本発明は、たとえば、複数のからくり装置で同期した演奏を行うことが可能な同期演奏システムに関する。
【０００２】
【従来の技術】
従来、たとえば、毎正時やあらかじめ設定された時刻になるとメロディを発音する電子式発音装置を有する報音装置や、電子式発音装置から発音されるメロディに合わせて、ハンマー等で発音体を実打ちし、実際に発音体から発音させる実打ち式からくり装置を有する報音装置が知られている。
また、それぞれ異なる場所に配置された複数の実打ち式報音装置が同期してメロディの演奏を行う同期演奏システムが知られている。
【０００３】
従来の同期演奏システムでは、たとえば、親機と子機を有し、親機は、毎正時やあらかじめ設定された時刻になると、子機へ演奏を開始させるためのスタートトリガ信号を送信し、内蔵されているタイマから出力される時間信号に同期して実打ち式からくり装置を動作しメロディの演奏を行う。
そして、子機は、親機から送信されたスタートトリガ信号を受信し、そのスタートトリガ信号に基づいて、内蔵するタイマをリセットし、タイマから出力される時間信号に同期して実打ち式からくり装置を動作し親機のメロディに同期してメロディの演奏を行う。
【０００４】
【発明が解決しようとする課題】
しかし、上述した同期演奏システムにおいて、親機および子機に内蔵されているタイマそれぞれには、時間の刻みにズレがある。
このため、たとえば演奏されるメロディが長い場合には、親機と子機の実打ち式報音装置は、メロディの開始時には同期してメロディの演奏を行うが、メロディの後半では、親機および子機に内蔵されているタイマの時間の刻みのズレにより、人間の耳で聞き取れる程度に親機および子機で演奏されるメロディにズレが生じてしまうという問題点がある。
【０００５】
本発明の目的は、異なる場所に配置された複数の報音装置が、長いメロディの演奏を行う場合でも、同期して演奏を行うことができる同期演奏システムを提供することにある。
【０００６】
【課題を解決するための手段】
前記課題を解決するために、本発明の同期演奏システムは、親機および子機を有する同期演奏システムであって、前記親機は、制御信号を受けて所定のからくり動作を行う第１のからくり部と、前記第１のからくり部で演奏されるメロディデータを記憶する第１の記憶部と、前記第１のからくり部がからくり動作を行う際に同期信号として参照される時間信号を出力する第１のタイマと、前記子機にスタートトリガ信号および補正トリガ信号を送信する送信部と、報音スタート信号が入力されると、前記送信部にスタートトリガ信号を送信させ、前記第１のタイマから出力される時間信号に同期して、前記第１の記憶部に記憶されているメロディデータに応じた制御信号を前記第１のからくり部に出力し、前記第１の記憶部に記憶されている一連のメロディデータの所定タイミングで、補正トリガ信号を前記送信部に送信させる第１の制御部とを有し、前記子機は、制御信号を受けて前記親機により発音されるメロディに同期してからくり動作を行う第２のからくり部と、前記送信部から送信されたスタートトリガ信号および補正トリガ信号を受信する受信部と、前記第２のからくり部がからくり動作を行う際に同期信号として参照される時間信号を出力する第２のタイマと、前記親機の第１の記憶部に記憶されているメロディデータと関連するメロディデータを記憶する第２の記憶部と、前記受信部でスタートトリガ信号を受信すると、前記第２のタイマから出力される時間信号に同期して、前記第２の記憶部に記憶されているメロディデータに応じた制御信号を前記第２のからくり部に出力し、前記受信部で補正トリガ信号を受信すると、当該補正トリガ信号および前記第２の記憶部に記憶されているメロディデータに基づいて前記第２のタイマの時間信号を補正する第２の制御部とを有する。
【０００７】
前記課題を解決するために、本発明の同期演奏システムは、親機および子機を有する同期演奏システムであって、前記親機は、メロディデータを記憶する第１の記憶部と、前記第１の記憶部に記憶されているメロディデータの同期をとるための時間信号を出力する第１のタイマと、前記子機にスタートトリガ信号および補正トリガ信号を送信する送信部と、報音スタート信号が入力されると、前記送信部にスタートトリガ信号を送信させ、前記第１の記憶部に記憶されている一連のメロディデータの所定タイミングで、補正トリガ信号を前記送信部に送信させる第１の制御部とを有し、前記子機は、制御信号を受けてからくり動作を行うからくり部と、前記送信部により送信されたスタートトリガ信号および補正トリガ信号を受信する受信部と、前記からくり部がからくり動作を行う際に同期信号として参照される時間信号を出力する第２のタイマと、前記親機の第１の記憶部に記憶されているメロディデータと関連するメロディデータを記憶する第２の記憶部と、前記受信部でスタートトリガ信号を受信すると、前記第２のタイマから出力される時間信号に同期して、前記第２の記憶部に記憶されているメロディデータに応じた制御信号を前記からくり部に出力し、前記受信部で補正トリガ信号を受信すると、当該補正トリガ信号および前記第２の記憶部に記憶されているメロディデータに基づいて前記第２のタイマの時間信号を補正する第２の制御部とを有する。
【０００８】
好適には、前記親機は、前記第１の記憶部に記憶されているメロディデータに基づいてメロディを発音する発音手段をさらに有する。
【０００９】
また、好適には、前記親機の第１の制御部は、前記第１の記憶部に記憶されているメロディの所定の小節毎に補正トリガ信号を送信部に送信させ、前記子機の第２の制御部は、前記受信部で受信された補正トリガ信号および第２の記憶部に記憶されているメロディデータに基づいて、メロディの所定の小節毎に第２のタイマの時間信号を補正する。
【００１０】
また、好適には、前記親機の第１の制御部は、前記第１の記憶部に記憶されているメロディの所定の音符毎に補正トリガ信号を送信部に送信させ、前記子機の第２の制御部は、前記受信部で受信された補正トリガ信号および前記第２の記憶部に記憶されているメロディデータに基づいて、メロディの所定の音符毎に前記第２のタイマの時間信号を補正する。
【００１１】
本発明によれば、たとえば、居間の壁に親機と、子機が壁掛けられている。
たとえば、親機に形成されているモニタスイッチがユーザによりオンされると、報音スタート信号が親機の第１の制御部に入力される。
そして、親機の第１の制御部では、送信部にスタートトリガ信号を送信させる。
そして、第１の制御部では、第１の記憶部に記憶されているメロディデータが読み出され、第１のタイマから出力される時間信号に同期して、発音手段に出力され、メロディが発音される。
そして、第１の制御部では、メロディデータに応じた制御信号が第１のからくり部に出力され、からくり部では、制御信号に基づいて、たとえば、被打鈴体をハンマーで実打ちする等のからくり動作が行われ、発音手段で発音されるメロディと同期した演奏が行われる。
【００１２】
子機の受信部で、スタートトリガ信号が受信されると、第２の制御部では、第２の記憶部に記憶されているメロディデータが読み出され、第２のタイマから出力される時間データに同期して、メロディデータに応じた制御信号が第２のからくり部に供給され、たとえば、鈴体をハンマーで実打ちする等の実打ちのからくり動作が行われ、親機により演奏されているメロディと同期して、メロディの演奏が行われる。
【００１３】
親機では、演奏される曲が長い場合に親機と子機の演奏がズレるのを防止するために、たとえば、第１の記憶部に記憶されているメロディデータのメロディの１小節毎に補正トリガ信号が子機に送信される。
【００１４】
子機の受信部で補正トリガ信号が受信されると、第２の制御部では、第２の記憶部に記憶されている親機の第１の記憶部に記憶されているメロディデータと関連するメロディデータ、および受信された補正トリガ信号に基づいて、第２のタイマにより出力される時間信号が修正される。
そして、第２の制御部では、補正された第２のタイマにより出力される時間信号に同期して、記憶部に記憶されているメロディデータに応じた制御信号が、第２のからくり部に供給され、親機により演奏されるメロディと同期して、メロディの演奏が行われる。
【００１５】
【発明の実施の形態】
第１の実施の形態
図１は、本発明に係る同期演奏システムの第１の実施の形態の概略を示した図である。
第１の実施の形態の同期演奏システム１は、親機２および子機３を有する。
【００１６】
たとえば、図１に示すように、居間の側壁に親機２および子機３が壁掛けられている。
親機２は、たとえば、正時になると、子機３にスタートトリガ信号ＳＳを送信し、そして実打ち式からくり装置２０を動作させメロディの演奏を行う。
子機３は、スタートトリガ信号ＳＳを受信すると、実打ち式からくり装置３０を動作させ、親機２が演奏するメロディに同期して、メロディの演奏を行う。
なお、親機２のからくり装置２０は、子機３のからくり装置３０と同様の構成であり、たとえば、親機２のからくり装置２０と、子機３のからくり装置３０は、同じメロディの音程の高いパートと低いパートとをそれぞれ演奏する。
【００１７】
次に、同期演奏システム１の各構成要素について説明する。
【００１８】
図２は、図１の同期演奏システムの親機のからくり装置を拡大した図である。
親機２は、図２に示すように、棒鈴体２０１および打鈴装置２０２で構成されるからくり装置２０を有する。
【００１９】
棒鈴体２０１は、それぞれ長さの異なる複数の中空パイプで構成され、基台に略垂直に形成されている。
また、棒鈴体２０１は、「ド」音から１オクターブ高い「ド」までの音色をそれぞれ発音可能となっている。
【００２０】
打鈴装置２０２は、図２に示すように、一端がフレーム２０２ａに固定された板バネ２０２ｂと、板バネ２０２ｂの自由端近傍に設けられたハンマーヘッド２０２ｃと、板バネ２０２ｂをたわませて棒鈴体２０１を実打ちするソレノイド駆動装置２０２ｄとで構成されている。
【００２１】
図３は、本発明に係る同期演奏システムの第１の実施の形態での親機のブロック図である。
【００２２】
親機２は、電気的には、打鈴スタート信号発生部２１０、時間信号発生部２２０、打鈴制御回路２３０、音楽データ収納部２４０、音源部２５０、からくり部２６０、スタートトリガ信号発生部２７０、補正トリガ信号発生部２８０、および送信回路部２９０を有する。
【００２３】
打鈴スタート信号発生部２１０は、たとえば、毎正時や、あらかじめ設定された時間や、図示しないモニタスイッチが押された場合に、打鈴スタート信号Ｓ２１０を打鈴制御回路２３０に出力する。
【００２４】
時間信号発生部２２０は、からくり装置２０が演奏を行う際に同期信号として参照される時間信号Ｓ２２０を生成し、打鈴制御回路２３０に出力する。
【００２５】
打鈴制御回路２３０は、打鈴スタート信号発生部２１０によりスタート信号Ｓ２１０が入力された場合には、スタートトリガ信号発生部２７０に信号Ｓ２３０Ｓを供給し、図４（ａ）のように、スタートトリガ信号発生部２７０にスタートトリガ信号ＳＳを生成させ、送信回路部２９０にスタートトリガ信号ＳＳを送信させる。
そして、打鈴制御回路２３０は、音楽データ収納部２４０にメロディデータＤＭのアドレスＤＡを指定して、メロディデータＤＭを読み出し、時間信号発生部２２０から出力される時間信号に同期して、そのメロディデータＤＭを音源部２５０に出力し、メロディを発音させる。
そして、打鈴制御回路２３０は、音楽データ収納部２４０に記憶されているメロディデータＤＭに付随して記憶されている制御データＤＫを、時間信号発生部２２０から出力される時間信号に同期して、からくり部２６０に供給し、からくり装置２０を動作させ、音源部２５０から出力されるメロディに同期して、メロディを演奏させる。
【００２６】
また、打鈴制御回路２３０は、たとえば、メロディの演奏中に、図４（ｃ），（ｄ）に示すように、音楽データ収納部２４０に記憶されているメロディデータＤＭのメロディの１小節毎に、補正トリガ信号発生部２８０に信号Ｓ２３０Ｒを供給して補正トリガ信号ＤＲを生成させ、送信回路部２９０に補正トリガ信号ＳＲを送信させる。
【００２７】
音楽データ収納部２４０には、音源部２５０に発音させるメロディデータＤＭおよびからくり装置２０に供給するための制御データＤＫが格納されている。
たとえば、メロディデータＤＭは、ＭＰ３（ＭＰＥＧ  Ａｕｄｉｏ  Ｌａｙｅｒ３）形式で符号化されていて、音楽データ収納部２４０に格納されている。
制御データＤＫは、からくり装置２０に演奏を行わせるためのデータであり、たとえばメロディの音程、音の強弱、および音の長さを有するデータである。
【００２８】
音源部２５０は、打鈴制御回路２３０から出力されたメロディデータＤＭに基づいてメロディを発音する機能を有する。
具体的には、音源部２５０は、音楽発生部２５１およびスピーカ２５２を有する。
音楽発生部２５１は、音楽データ収納部２４０に記憶されているメロディデータＤＭに基づいて、メロディを発生させる機能を有し、そのメロディをスピーカ２５２に出力し、メロディを発音させる。
【００２９】
からくり部２６０は、音楽データ収納部２４０に記憶されている制御データＤＫに基づいて、からくり装置２０を動作させ、メロディを演奏する。
からくり部２６０は、打鈴駆動回路部２６１および打鈴装置２０２を有する。
打鈴装置２０２については、上述したので説明を省略する。
【００３０】
打鈴駆動回路部２６１は、音楽データ収納部２４０に記憶されている制御データＤＫに基づいて、ソレノイド駆動装置２０２ｄを駆動させるための信号を出力する機能を有する。
【００３１】
具体的には、打鈴駆動回路部２６１は、音楽データ収納部２４０に記憶されている制御データＤＫのメロディの音程、音の強弱、および音の長さに基づいて、所望のパルス幅のソレノイド駆動パルスを、所望の音程を発音する棒鈴体２０１に設置されたソレノイド駆動装置２０２ｄに供給して駆動させ、板バネ２０２ｂをたわませて、ハンマーヘッド２０２ｃを棒鈴体２０１に衝突させ、所望の音を発音させて、メロディを演奏させる。
【００３２】
スタートトリガ信号発生部２７０は、打鈴制御回路２３０によりスタートトリガ信号ＳＳを送信させる信号Ｓ２０３Ｓが入力されると、スタートトリガ信号ＳＳを生成し、送信回路部２９０に生成したスタートトリガ信号ＳＳを出力する。
スタートトリガ信号ＳＳは、たとえば、０または１の８ビットで構成されるコードを有し、具体的には、１１００００００である。
【００３３】
補正トリガ信号発生部２８０は、打鈴制御回路２３０により補正トリガ信号ＳＲを送信させる信号Ｓ２０３Ｒが入力されると、補正トリガ信号ＳＲを生成し、送信回路部２９０に生成した補正トリガ信号ＳＲを出力する。
補正トリガ信号ＳＲのコードは、たとえば、１０１１０１００である。
【００３４】
送信回路部２９０は、スタートトリガ信号発生部２７０により入力されたスタートトリガ信号ＳＳおよび補正トリガ信号発生部２８０により入力された補正トリガ信号ＳＲを子機３に送信する機能を有する。
具体的には、送信回路部２９０は、スタートトリガ信号発生部２７０により入力されたスタートトリガ信号ＳＳを、たとえば、周波数変調（ＦＳＫ：Ｆｒｅｑｕｅｎｃｙ  Ｓｈｉｆｔ  ｋｅｙｉｎｇ）方式で変調し、子機３に送信する。
また、送信回路部２９０は、補正トリガ信号発生部２８０により入力された補正トリガ信号ＳＲを、同様にＦＳＫ方式で変調し、子機３に送信する。
【００３５】
次に、子機３について説明する。
子機３は、親機２のからくり装置２０と同様な、棒鈴体２０１および打鈴装置２０２で構成されるからくり装置３０を有する。
からくり装置３０は、親機のからくり装置２０と同じなので説明を省略する。
【００３６】
図５は、図１の子機３のブロック図である。
子機３は、電気的には、受信回路部３１０、時間信号発生部３２０、打鈴制御回路３３０、音楽データ収納部３４０、およびからくり部３６０を有する。
【００３７】
受信回路部３１０は、親機２の送信回路部２９０で周波数変調（ＦＳＫ）されて送信されたスタートトリガ信号ＳＳおよび補正トリガ信号ＳＲを復調し、打鈴制御回路３３０に出力する。
【００３８】
時間信号発生部３２０は、からくり装置３０が演奏を行う際に、同期信号として参照される時間信号Ｓ３２０を生成し、打鈴制御回路３３０に出力する。
また、時間信号発生部３２０の時間信号Ｓ３２０は、受信された補正トリガ信号ＳＲおよび音楽データ収納部３４０に記憶されている音楽データＤＭに基づいて、時間信号Ｓ３２０を親機２の時間信号発生部２２０の時間信号Ｓ２２０に同期するように打鈴制御回路３３０により修正される。
【００３９】
打鈴制御回路３３０は、受信回路部３１０によりコード１１００００００を持つスタートトリガ信号ＳＳが入力されると、時間信号発生部３２０が出力する時間信号Ｓ３２０をリセットする。
そして、打鈴制御回路３３０は、音楽データ収納部３４０に格納されている制御データＤＫのアドレスＤＡを指定して、制御データＤＫを読み出し、時間信号発生部３２０から出力された時間信号Ｓ３２０に同期して、制御データＤＫをからくり装置３０に供給し、親機２から発音されるメロディに同期して、メロディを演奏させる。
【００４０】
また、打鈴制御回路３３０は、受信回路部３１０によりコード１０１１０１００を持つ補正トリガ信号ＳＲが入力されると、図４（ｃ），（ｄ）に示すように、補正トリガ信号ＳＲおよび音楽データ格納部３４０に記憶されているメロディデータＤＭに基づいて、時間信号発生部３２０が出力する時間信号Ｓ３２０を、親機２の時間信号発生部２２０の時間信号Ｓ２２０に同期するように修正を行う。
【００４１】
そして、打鈴制御回路３３０は、音楽データ収納部３４０に格納されている制御データＤＫのアドレスＤＡを指定して、制御データＤＫを読み出し、補正された時間信号Ｓ３２０に基づいて、からくり装置３０に供給して動作させ、親機２から発音されるメロディに同期して、メロディを演奏させる。
【００４２】
音楽データ収納部３４０には、親機２の音楽データ収納部２４０と同様に、メロディデータＤＭおよびからくり部３０を動作させるための制御データＤＫが格納されている。
【００４３】
からくり部３６０は、打鈴駆動回路部３６１および打鈴装置３０２を有する。
各構成要素は、親機２のからくり部２６０と同様なので説明を省略する。
【００４４】
次に、上記構成による動作を図６のフローチャートおよび図４を参照して、親機２の打鈴制御回路２３０および子機３の打鈴制御回路３３０を中心に説明する。
【００４５】
たとえば、正時になると、親機２の打鈴スタート信号発生部２１０から打鈴スタート信号Ｓ２１０が打鈴制御回路２３０に出力される（ＳＴ１１）。
そして、打鈴制御回路２３０から信号Ｓ２３０Ｓがスタートトリガ信号発生部２７０に供給される。
【００４６】
そして、スタートトリガ信号発生部２７０では、スタートトリガ信号ＳＳが生成され、図４（ａ）に示すように、送信回路部２９０から生成されたスタートトリガ信号ＳＳが子機３に送信される（ＳＴ１２）。
【００４７】
そして、打鈴制御回路２３０により、音楽データ収納部２４０からメロディデータＤＭのアドレスＤＡが指定され、メロディデータＤＭが読み出され、時間信号発生部２２０から出力される時間信号に同期して、そのメロディデータＤＭが音源部２５０に出力され、メロディが発音される。
同時に、メロディデータＤＭに付随して記憶されている制御データＤＫが、時間信号発生部２２０から出力される時間信号Ｓ２２０に同期して、からくり装置２０に供給され、音源部２５０から出力されるメロディに同期して、メロディが演奏される（ＳＴ１３）。
【００４８】
子機３では、図４（ｂ）に示すように、親機２の送信回路部２９０から送信されたスタートトリガ信号ＳＳが受信回路部３１０で受信されると、時間信号発生部３２０が出力する時間信号のリセットが行われる。
【００４９】
そして、子機３では、打鈴制御回路３３０により、音楽データ収納部３４０に格納されている制御データＤＫのアドレスＤＡが指定され、制御データＤＫが読み出され、時間信号発生部３２０から出力される時間信号Ｓ３２０に同期して、その制御データＤＫがからくり部３６０に供給され、親機２から発音されるメロディおよびからくり装置２０により演奏されるメロディに同期して、メロディが演奏される（ＳＴ２２）。
【００５０】
親機２では、打鈴制御回路２３０から、制御図４（ａ）に示すように、音源部２５０により発音されているメロディの１小節目、２小節目、…の１小節毎に、信号Ｓ２０３Ｒが補正トリガ信号発生部２８０に供給され、補正トリガ信号発生部２８０で生成された補正トリガ信号ＳＲが送信回路部２９０から子機３に送信される（ＳＴ１４）。
【００５１】
子機３では、図４（ｃ），（ｄ）示すように、受信回路部３１０で補正トリガ信号ＳＲが受信されると、受信された補正トリガ信号ＳＲおよび音楽データ格納部３４０に記憶されているメロディデータＤＭに基づいて、時間信号発生部３２０から出力される時間信号Ｓ３２０が、親機２の時間信号発生部２２０の時間信号Ｓ２２０と同期するように補正される（ＳＴ２３）。
【００５２】
そして、からくり装置３０では、補正された時間信号Ｓ３２０に同期し、親機２のからくり装置２０により演奏されるメロディに同期して、メロディが演奏される（ＳＴ１５，ＳＴ２４）。
【００５３】
以上説明したように、第１の実施の形態によれば、親機２に、制御データＤＫを受けて所定のからくり動作を行うからくり装置２０と、メロディデータＤＭを記憶する音楽データ収納部２４０と、メロディデータＤＭに基づいてメロディを発音する音源部２５０と、時間信号Ｓ２２０を出力する時間信号発生部２２０と、スタートトリガ信号ＳＳおよび補正トリガ信号ＳＲを送信する送信回路部２９０と、打鈴スタート信号発生部２１０から打鈴スタート信号Ｓ２１０が入力されると、送信回路部２９０にスタートトリガ信号発生部２７０で生成されたスタートトリガ信号ＳＳを送信させ、時間信号Ｓ２２０に同期してメロディデータＤＭに応じた制御データＤＫをからくり装置２０に出力し、音楽データ収納部２４０に記憶されているメロディの１小節毎に補正トリガ信号発生部２８０で生成された補正トリガ信号ＳＲを送信回路部２９０から子機３に送信させる打鈴制御回路２３０を設け、子機３に、スタートトリガ信号ＳＳおよび補正トリガ信号ＳＲを受信する受信回路部３１０と、時間信号Ｓ３２０を出力する時間信号発生部３２０と、親機２の音楽データ収納部２４０に記憶されているメロディデータＤＭと同じメロディデータＤＭを記憶する音楽データ収納部３４０と、受信回路部３１０でスタートトリガ信号ＳＳを受信すると、時間信号Ｓ３２０に同期して、メロディデータＤＭに応じた制御データＤＫをからくり装置３０に出力し、受信回路部３１０で補正トリガ信号ＳＲが受信されると、補正トリガ信号ＳＲおよびメロディデータＤＭに基づいて、時間信号発生部３２０の時間信号Ｓ３２０を補正する打鈴制御回路３３０とを設けたので、親機２および子機３により演奏されるメロディが長い場合であっても、演奏がズレることなく同期した演奏を行うことができる。
【００５４】
第２の実施の形態
図７は、本発明に係る同期演奏システムの第２の実施の形態の概略を示した図である。
第２の実施の形態の同期システム１ａは、親機２ａ、子機３、および子機４を有する。
たとえば、居間の正面の壁には親機２ａが壁かけられている。その側壁には子機３が壁掛けられている。正面のサイドボードの上には、子機４が設置されている。
親機２ａは、たとえば、正時になると、子機３，４にスタートトリガ信号ＳＳを送信して、内蔵するメロディを発音する。
そして、子機３はトリガ信号を受信すると、内蔵する実打ち式からくり装置３０を動作させ、親機２ａのメロディに同期して演奏を行う。
同様に、子機４は、トリガ信号を受信すると、内蔵する実打ち式からくり装置４０を動作させ、親機２ａのメロディに同期して演奏を行う。
【００５５】
図８は、図７の親機２ａのブロック図である。
親機２ａは、打鈴スタート信号発生部２１０、時間信号発生部２２０ａ、制御回路２３０ａ、音楽データ収納部２４０ａ、音源部２５０、スタートトリガ信号発生部２７０、補正トリガ信号発生部２８０、および送信回路部２９０を有する。
【００５６】
親機２ａと第１の実施の形態の親機２の相違点は、親機２ａではからくり装置２０がない点である。
それに伴い、親機２ａの音楽データ収納部２４０ａは、音楽データＤＭを記憶しているが、からくり装置２０の制御データＤＭを記憶していない。
【００５７】
時間信号発生部２２０ａは、指針、文字盤、ムーブメント等の主要素を有し時刻を表示し、子機３、４がからくり動作を行う際の基準となる時間信号Ｓ２２０ａを発生して制御回路２３０ａに出力する。
【００５８】
制御回路２３０ａは、打鈴スタート信号発生部２１０によりスタート信号Ｓ２１０が入力された場合には、スタートトリガ信号発生部２７０にスタートトリガ信号ＳＳを発生させ、送信回路部２９０にスタートトリガ信号ＳＳを送信させる。
そして、打鈴制御回路２３０ａは、音楽データ収納部２４０ａにメロディデータＤＭのアドレスＤＡを指定して、メロディデータＤＭを読み出し、時間信号発生部２２０ａから出力される時間信号に同期して、そのメロディデータＤＭを音源部２５０に出力し、メロディを発音させる。
【００５９】
また、制御回路２３０ａは、たとえば、音楽データ収納部２４０ａに記憶されているメロディデータＤＭのメロディの１小節毎に、補正トリガ信号発生部２８０に補正トリガ信号を出力させ、送信回路部２９０に補正トリガ信号ＳＲを出力させる。
【００６０】
親機２ａのその他の構成要素は、第１の実施の形態の親機２と同様なので説明を省略する。
子機３は、第１の実施の形態と同様の構成であるので説明を省略する。
【００６１】
次に、子機４の説明を行う。
図９は、子機４のからくり装置の一部を拡大した図である。
子機４と子機３の相違部分は、からくり装置であり、たとえば、図９に示すようなからくり装置４０を有する。
【００６２】
からくり装置４０は、鈴体４０１および打鈴装置４０２を有する。
鈴体４０１は、図９に示すように、釣り鐘状の形状を有する。
また、図示しないが、鈴体４０１は複数形成されており、「ド」音から１オクターブ高い「ド」までの音色を発音可能となっている。
打鈴装置４０２は、支持部４０２ａで支持されたソレノイド駆動装置４０２ｃに、鈴体４０１を実打ちする突部４０２ｂが形成されている。
【００６３】
図１０は、図７の子機のブロック図である。
子機４は、電気的には、子機３と同様の構成をしており、受信回路部４１０、時間信号発生部４２０、打鈴制御回路４３０、音楽データ収納部４４０、およびからくり部４６０を有する。
子機４と子機３の相違点だけ説明する。
【００６４】
からくり部４６０は、音楽データ収納部４４０に記憶されているメロディデータＤＭに基づいて、からくり装置４０を動作させ、メロディを演奏する。
からくり部４６０は、打鈴駆動回路部４６１および打鈴装置４０２を有する。
打鈴装置４０２については、上述したので説明を省略する。
【００６５】
打鈴駆動回路部４６１は、音楽データ収納部４４０に記憶されているメロディデータＤＭに基づいて、ソレノイド駆動装置４０２ｃを駆動させるための信号を出力する機能を有する。
【００６６】
具体的には、打鈴駆動回路部４６１は、打鈴制御回路４３０により入力される音楽データ収納部４４０に記憶されている制御データＤＫのメロディの音程、音の強弱、および音の長さに基づいて、所望のパルス幅のソレノイド駆動パルスを、所望の音程を発音する鈴体４０１に設置されたソレノイド駆動装置４０２ｃに供給して駆動させ、突部４０２ｂで鈴体４０１を打鈴させ、所望の音を発音させてメロディを演奏させる。
【００６７】
子機４のその他の構成要素の機能は、子機３と同様である。
【００６８】
次に、上記構成による第２の実施の形態の同期演奏システム１ａの動作は、第１の実施の形態の同期演奏システム１の図６のフローチャートとほぼ同様なので第１の実施の形態と相違点を中心に説明する。
【００６９】
親機２ａは、からくり装置がないために、からくり動作を行わない。
子機４は、子機３と同様の動作を行う。
ただし、ステップＳＴ２２、およびステップ２４において、子機４では、打鈴制御回路４３０により、音楽データ収納部４４０に格納されている制御データＤＫのアドレスＤＡが指定され、制御データＤＫが読み出され、時間信号発生部４２０から出力される時間信号Ｓ４２０に同期して、その制御データＤＫがからくり部４６０に供給され、制御データＤＫのメロディの音程、音の強弱、および音の長さに基づいて、所望のパルス幅のソレノイド駆動パルスが、所望の音程を発音する鈴体４０１に設置されたソレノイド駆動装置４０２ｃに供給され、突部４０２ｂで鈴体４０１が打鈴され、所望の音が発音されて、親機２ａで発音されるメロディ、および子機３のからくり装置３０により演奏されるメロディに同期して、メロディが演奏される。
【００７０】
以上説明したように、第２の実施の形態によれば、第１の実施の形態の親機２からからくり装置２０を除いた親機２ａと、第１の実施の形態と同じ子機３と、からくり装置４０を有し、子機３と同様な構成の子機４を設けたので、演奏されるメロディが長い場合であっても、演奏がズレることなく同期した演奏を行うことができる。
また、親機２ａが１小節毎の補正トリガ信号ＳＲを送信することで、複数の子機の演奏を細かく補正できる。
また、メロディデータＤＭの音符を補正しても親機２ａ、子機３，４で同期した演奏を行うことが可能である。
【００７１】
なお、本発明は本実施の形態に限られるものではなく、任意好適な種々の改変が可能である。たとえば、スタートトリガ信号ＳＳと補正トリガ信号ＳＲは、コードを用いて識別を行ったが、この形態に限られるものではない。たとえば、スタートトリガ信号および補正トリガ信号は、単パルス信号を用いて行ってもよい。
【００７２】
具体的には、たとえば、親機２および子機３，４は、メロディの演奏が終了した際にリセット動作を行う。親機２は、打鈴スタート信号が入力されると、第１番目の単パルス信号をスタートトリガ信号として送信する。
そして、親機２は、１小節毎に各補正トリガ信号として、送信回路部から、単パルス信号として送信する。
【００７３】
子機３，４では、リセット動作後、第１番目に受信された単パルスをスタートトリガ信号として、からくり装置３０，４０に演奏を行わせる。
そして、第２番目以降、単パルス信号を受信すると、それを補正トリガ信号として時間信号発生部の時間信号を補正してもよい。
リセット動作の後、一番目のパルスをスタートトリガ信号、２番目以降の単パルス信号を補正トリガ信号としてもよい。
【００７４】
また、第１および第２の実施の形態では、時間信号発生部は一定の時間を刻んでいたが、この形態に限られるものではない。たとえば、曲のテンポにあわせて可変してもよい。
【００７５】
また、第１および第２の実施の形態では、補正トリガ信号ＳＲは、１小節毎に親機から子機に送信されたが、この形態に限られるものではない。たとえば、音符毎に補正トリガ信号ＳＲを親機から子機に送信する形態でもよい。
【００７６】
また、第１および第２の実施の形態では、親機は、少なくともからくり部または音源部を有していたが、この形態に限られるものではない。たとえば、親機は、からくり部および音源部を有していなくてもよい。
【００７７】
【発明の効果】
以上のように、本発明の同期演奏システムによれば、異なる場所に配置された複数の報音装置が、長いメロディの演奏を行う場合でも、同期して演奏を行うことができる。
【図面の簡単な説明】
【図１】本発明に係る同期演奏システムの第１の実施の形態の概略を示す図である。
【図２】図１の同期システムの親機のからくり装置を拡大した図である。
【図３】図１の同期演奏システムの親機のブロック図である。
【図４】図１の同期演奏システムの信号のタイミングを示す図である。
【図５】図１の同期演奏システムの子機のブロック図である。
【図６】本発明に係る同期演奏システムの第１の実施の形態の動作を説明するためのフローチャートである。
【図７】本発明に係る同期演奏システムの第２の実施の形態の概略を示す図である。
【図８】図７の同期演奏システムの親機のブロック図である。
【図９】図７の同期演奏システムの子機のからくり装置を拡大した図である。
【図１０】図７の同期演奏システムの子機のブロック図である。
【符号の説明】
１…同期演奏システム
２…親機
２０…からくり装置
２０１…棒鈴体
２０２…打鈴装置
２０２ａ…フレーム
２０２ｂ…板バネ
２０２ｃ…ハンマーヘッド
２０２ｄ…ソレノイド駆動装置
２１０…打鈴スタート信号発生部
２２０…時間信号発生部
２３０…打鈴制御回路
２４０…音楽データ収納部
２５０…音源部
２６０…からくり部
２７０…スタートトリガ信号発生部
２８０…補正トリガ信号発生部
２９０…送信回路部
３…子機
３０…からくり装置
３０２…打鈴装置
３１０…受信回路部
３２０…時間信号発生部
３３０…打鈴制御回路
３４０…音楽データ収納部
３６０…からくり部
３６１…打鈴駆動回路部
４…子機
４０…からくり装置
４０１…鈴体
４０２…打鈴装置
４０２ａ…支持部
４０２ｂ…突部
４１０…受信回路部
４２０…時間信号発生部
４３０…打鈴制御回路
４４０…音楽データ収納部
４６０…からくり部
４６１…打鈴駆動回路部
【図１】
0003689646.tif 000002
【図２】
0003689646.tif 000003
【図３】
0003689646.tif 000004
【図４】
0003689646.tif 000005
【図５】
0003689646.tif 000006
【図６】
0003689646.tif 000007
【図７】
0003689646.tif 000008
【図８】
0003689646.tif 000009
【図９】
0003689646.tif 000010
【図１０】
0003689646.tif 000011